(57)【要約】【課題】遮音性、断熱性に優れ、透明性が高くかつ軽量である遮音採光断熱材を提供する。【解決手段】ガラス板若しくは硬質樹脂板に貼付、又は、２枚のガラス板若しくは硬質樹脂板で挟持することができる遮音採光断熱材であって、複数の樹脂フィルム、又は、複数の樹脂繊維若しくはガラス繊維からなる織布若しくは不織布が空気層を挟んで各々対向した構造を有する遮音採光断熱材。【選択図】なし【特許請求の範囲】
【請求項１】
ガラス板若しくは硬質樹脂板に貼付、又は、２枚のガラス板若しくは硬質樹脂板で挟持することができる遮音採光断熱材であって、複数の樹脂フィルム、又は、複数の樹脂繊維若しくはガラス繊維からなる織布若しくは不織布が空気層を挟んで各々対向した構造を有することを特徴とする遮音採光断熱材。
【請求項２】
空気層は、複数のセルに分割されていることを特徴とする請求項１記載の遮音採光断熱材。
【請求項３】
樹脂フィルム、又は、樹脂繊維若しくはガラス繊維からなる織布若しくは不織布間にスペーサを有することを特徴とする請求項１又は２記載の遮音採光断熱材。
【請求項４】
スペーサは、中空体であることを特徴とする請求項３記載の遮音採光断熱材。
【請求項５】
ガラス板又は硬質樹脂板と、前記ガラス板又は硬質樹脂板に貼付された請求項１、２、３又は４記載の遮音採光断熱材とからなることを特徴とする遮音採光断熱板。
【請求項６】
請求項１、２、３又は４記載の遮音採光断熱材と、前記遮音採光断熱材を挟持する２枚のガラス板又は硬質樹脂板とからなることを特徴とする遮音採光断熱板。
【発明の詳細な説明】
【技術分野】
【０００１】
本発明は、遮音性、断熱性に優れ、透明性が高くかつ軽量である遮音採光断熱材に関する。
【背景技術】
【０００２】
近年の建築物では、省エネルギーの観点から、外界との高い断熱効果を達成し冷暖房の効率を極限にまで高める試みがなされている。このような目的のために断熱性の高い壁材等が種々提案されている。
建築物の住環境等を考える場合に、採光は極めて重要である。現在の建築物においては、採光部にはガラス窓を設置するのが一般的であるが、壁材等に比べて高い断熱効果を発揮させるのは難しかった。「省エネルギー技術戦略報告書」（平成１４年６月１２日、経済産業省）によれば、全消費エネルギーの４５％が窓等の開口部から損失しているといわれている。
【０００３】
断熱性の高いガラスとしては、いわゆるペアガラスが提案されている（例えば、特許文献１等）。ペアガラスは、２枚のガラス間に隙間を設け、ガラス間を真空としたり、アルゴン等の不活性ガスを吹き込んだりしたものであり、ガラス間の空間の存在により、高い断熱効果を発揮しようとするものである。しかしながら、ペアガラスは通常のガラスに比べて重くて嵩張るという問題があった。また、ガラス間に生じる結露を防止するため、特殊な乾燥剤が必要とされていた。また、コスト面でも数万〜十数万円／ｍ２かかり、通常の住宅へ応用するのは困難であった。更に、長期間使用する間に空気が侵入して真空状態が破れたり、ガス抜けが起こったりして、性能が低下してしまうことがあるという問題もあった。
【０００４】
一方、建築物に用いる壁材としては、騒音対策等の観点から、遮音性の確保も重要な課題となっている。従来から、遮音性を有する壁材としては、一般的に、コンクリート、金属等の無機系材料が用いられてきた。しかしながら、これらの材料は遮音性には優れるものの、透明性がないため、採光が妨げられてしまう。また、これらの材料は重く、施行性が悪い。
【０００５】
これに対して、例えば、特許文献１等に開示されたペアガラス等を用いた場合には、透明性に優れ、採光を充分に確保することが可能であって、軽量で、施行性にも優れるが、遮音性に劣るという問題があった。そこで、遮音性、断熱性に優れ、透明性が高くかつ軽量である遮音採光断熱材が求められていた。
【特許文献１】特開２００３−０２６４５３号公報
【発明の開示】
【発明が解決しようとする課題】
【０００６】
本発明は、上記現状に鑑み、遮音性、断熱性に優れ、透明性が高くかつ軽量である遮音採光断熱材を提供することを目的とする。
【課題を解決するための手段】
【０００７】
本発明は、ガラス板若しくは硬質樹脂板に貼付、又は、２枚のガラス板若しくは硬質樹脂板で挟持することができる遮音採光断熱材であって、複数の樹脂フィルム、又は、複数の樹脂繊維若しくはガラス繊維からなる織布若しくは不織布が空気層を挟んで各々対向した構造を有する遮音採光断熱材である。
以下に本発明を詳述する。
【０００８】
本発明者らは、鋭意検討した結果、複数の樹脂フィルム、又は、複数の樹脂繊維若しくはガラス繊維からなる織布若しくは不織布（以下、樹脂フィルム、又は、樹脂繊維若しくはガラス繊維からなる織布若しくは不織布を総称して、基材ともいう）が空気層を挟んで各々対向した構造を有する遮音採光断熱材は、これをガラス板若しくは硬質樹脂板に貼付、又は、２枚のガラス板若しくは硬質樹脂板で挟持することにより高い遮音性能を発揮することができることを見出し、本発明を完成させるに至った。
【０００９】
本発明の遮音採光断熱材は、複数の樹脂フィルム、又は、樹脂繊維若しくはガラス繊維からなる織布若しくは不織布が空気層を挟んで各々対向した構造を有する。
本発明の遮音採光断熱材は、２枚の基材間に空気層が挟持された構成のもの（図１（ａ））であってもよいが、３枚以上の基材間に空気層が挟持された構成のもの（図１（ｂ））が好ましい。複数の空気層を有する本発明の遮音採光断熱材は、より高い断熱効果及び遮音効果を発揮することができる。
【００１０】
一般に、音の伝播を低減する方法としては、音の透過を食い止める遮音効果を利用する方法と、音の吸収を増加する吸音効果を利用する方法とが挙げられる。本発明の遮音採光断熱材は、この両方の効果を利用して音の伝播を低減することが可能である。
【００１１】
上記基材は、表面に凹凸を有することが好ましい。凹凸を有することによって、本発明の遮音採光断熱材の遮音効果を高めることができる。これは、凹凸によって共鳴の発生を抑制することができるためと考えられる。
【００１２】
上記凹凸を構成する材料としては、透光性を有するものであれば特に限定されないが、後述するスペーサを構成する材料と同様のものであることが好ましい。なかでも、自己接着性を有するものであることが好ましい。このような材料を用いることによって、上記基材上への設置がより簡単になり、作業性を向上させることができる。
上記凹凸の構造としては、後述する空気層間隔よりも小さい径や、高さを有するものであれば特に限定されず、例えば、点状、線状等の構造が挙げられる。
上記凹凸を設置する方法としては特に限定されず、例えば、後述するスペーサを構成する材料と同様の材料を用いて、後述する空気層間隔よりも小さい径や、高さとなるように、対峙する基材の片側にのみ設置する方法が挙げられる。
【００１３】
上記基材は、表面に細孔を有することが好ましい。表面に細孔を有することによって、本発明の遮音採光断熱材の吸音効果を高めることができる。これは、細孔によって粘性摩擦が生じ、音波エネルギーを低減させることができるためと考えられる。
【００１４】
上記細孔を形成する方法としては特に限定されず、例えば、断熱性に悪影響を及ぼさない範囲で、従来公知の方法により穿孔を施す方法等が挙げられる。
上記細孔は、上記基材の単位面積当たりの空隙率によっても異なるが、積極的に穿孔を形成する場合には、上記基材において１０ｍｍ２以下の範囲で穿孔を形成することが好ましい。１０ｍｍ２を超えると、得られる遮音採光断熱材の強度が不充分となることがある。
上記樹脂繊維若しくはガラス繊維からなる織布若しくは不織布を用いる場合には、基材自体に目あきとなる空隙が存在するため、積極的に穿孔を施すことなく細孔による効果が得られることがある。
【００１５】
上記樹脂フィルムとしては、透光性に優れるものであれば特に限定されず、例えば、ポリエチレンテレフタレート、ポリブチレンテレフタレート、ポリカーボネート、ポリエチレン、アクリル、塩化ビニル、ポリビニルアルコール、トリ酢酸セルロース等からなるものが挙げられる。
なかでも、自消性であって建築材として適合性がよいことから、ポリカーボネート、塩化ビニルが好適である。
上記樹脂フィルムは、難燃剤等の無機充填剤を含有する樹脂組成物からなるものであってもよい。難燃剤等の無機充填剤を含有することによって、難燃性、不燃性等を向上させることができる。
【００１６】
上記樹脂繊維からなる織布若しくは不織布としては、透光性を有するものであれば特に限定されず、例えば、ポリプロピレン繊維、ポリエチレン繊維、ポリエステル繊維等からなる織布若しくは不織布が挙げられる。上記樹脂繊維は、各種樹脂繊維を複合して用いてもよい。上記樹脂繊維は、表面に各種コーテイングが施されていてもよい。
上記樹脂繊維からなる織布の織り方、目あき等、又は、上記不織布の坪量、目あき等としては特に限定されず、本発明の遮音採光断熱材の可視光線透過率が２０％以上となる範囲で選択して使用することができる。
上記樹脂繊維からなる織布若しくは不織布には、本発明の遮音採光断熱材の可視光線透過率が２０％以上となる範囲で、両面若しくは片面に樹脂層が積層されていてもよい。
【００１７】
上記ガラス繊維からなる織布若しくは不織布としては、透光性を有するものであれば特に限定されず、従来公知のガラス繊維を用いることができる。
上記ガラス繊維の繊維径、繊維長、つなぎとして用いるバインダー樹脂、坪量、目あき等としては特に限定されず、本発明の遮音採光断熱材の可視光線透過率が２０％以上となる範囲で選択して使用することができる。
上記ガラス繊維からなる織布若しくは不織布には、本発明の遮音採光断熱材の可視光線透過率が２０％以上となる範囲で、両面若しくは片面に樹脂層が積層されていてもよい。
【００１８】
上記樹脂フィルムの厚さとしては特に限定されないが、好ましい下限は１０μｍ、好ましい上限は３００μｍである。１０μｍ未満であると、得られる遮音採光断熱材の強度が劣ることがあり、３００μｍを超えると、同じ断熱効果を得るのに必要以上に遮音採光断熱材が厚くなることがある。より好ましい下限は２０μｍ、より好ましい上限は２００μｍである。
【００１９】
上記樹脂繊維からなる織布若しくは不織布の坪量としては特に限定されないが、厚さが１００〜３００μｍとなる範囲で、好ましい下限が１０ｇ／ｍ２、好ましい上限が６０ｇ／ｍ２である。坪量が１０ｇ／ｍ２未満であると、得られる遮音採光断熱材の強度が不充分となることがあり、坪量が６０ｇ／ｍ２を超えると、得られる遮音採光断熱材の透光性が悪化することがある。
【００２０】
上記ガラス繊維からなる織布若しくは不織布の坪量としては特に限定されないが、厚さが１５０〜５００μｍとなる範囲で、好ましい下限が１０ｇ／ｍ２、好ましい上限が６０ｇ／ｍ２である。坪量が１０ｇ／ｍ２未満であると、得られる遮音採光断熱材の強度が不充分となるとがあり、遮音採光断熱材の製造過程において、テンションによって破断する可能性がある。坪量が６０ｇ／ｍ２を超えると、得られる遮音採光断熱材の透光性が悪化し、可視光線透過率が２０％未満となることがある。
【００２１】
上記基材は、上記厚さの範囲内において、それぞれの基材が同じ厚さを有するものであってもよいが、それぞれの基材が異なる厚さを有することが好ましい。異なる厚さを有することによって、遮音性をより向上させることができる。
【００２２】
本発明の遮音採光断熱材において、上記基材は全て同じものであってもよいし、各々異なっていてもよい。図２に、各基材が異なる場合における、本発明の遮音採光断熱材の一例の断面を示す模式図を示した。
図２に示した遮音採光断熱材は、２枚のポリエチレンテレフタレートフィルムと、２枚のポリカーボネートフィルムとを、各々の基材間に空気層を挟んでポリカーボネートフィルムが最外層となるように積層した構造を有する。ポリカーボネートフィルムは、強度と耐候性とに優れることから、これ最外層とすることにより防犯性や耐候性を発揮させることができる。また、ポリエチレンテレフタレートフィルムは、機械的強度に優れる。
【００２３】
上記空気層の厚みの好ましい下限は１００μｍ、好ましい上限は１０ｍｍである。上記範囲内であると、特に高い断熱効果及び遮音効果が得られる。より好ましい下限は２００μｍ、より好ましい上限は８ｍｍである。
【００２４】
本発明の遮音採光断熱材が複数の空気層を有する場合、各空気層は、上記厚さの範囲内において、それぞれ同じ厚さを有するものであってもよいが、各空気層が異なる厚さを有することが好ましい。異なる厚さを有することによって、遮音性をより向上させることが可能となる。
【００２５】
上記空気層は、周辺部を封止することにより「動かない空気の層」を形成してもよい。このような構造を有することによって、高い断熱効果及び遮音効果を発揮するものである。
また、上記空気層は、他の空気層と上記基材を介して通じていてもよく、空気が空気層間を移動することができる構造を有するものであってもよい。
【００２６】
上記空気層は、複数のセルに分割することも可能である。空気層が複数のセルに分割されることにより、セルを分割する材料によっては、本発明の遮音採光断熱材全体の遮音効果及び強度を高めることができる。
上記セルを分割する材料としては特に限定されず、後述するスペーサを構成する材料と同様の材料であればよく、弾性等の緩衝機能を有するものが好ましい。弾性等の緩衝機能を有する材料としては特に限定されず、例えば、アクリル樹脂、シリコンゴム、エチレン酢酸ビニル共重合体、スチレン系エラストマー、ポリエステル樹脂、天然ゴム、クロロプレンゴム、イソプレンゴム等からなるものが挙げられる。
上記セルを分割する材料としては、透光性を確保する観点からは無色透明であるのが好ましいが、意匠性を付与する場合には、顔料を配合することによって着色したものを用いることが好ましい。
【００２７】
また、個々のセルの独立性、気密性が高まることにより、空気層間隔が大きい場合には、より高い遮音性能及び断熱性能を発揮することもある。
空気層の各セルの大きさの好ましい下限は４ｃｍ２、好ましい上限は１８００ｃｍ２である。４ｃｍ２未満であると、得られる遮音採光断熱材の透光性及び断熱性が劣ることがあり、１８００ｃｍ２を超えると得られる遮音採光断熱材の強度が劣ることがある。好ましい下限は２５ｃｍ２であり、好ましい上限は１０００ｃｍ２である。
【００２８】
上記空気層は、多孔質の透明粒子が充填されることが好ましい。多孔質の透明粒子が充填されることによって、遮音性能及び吸音性能を効果的に向上させることができる。
上記多孔質の透明粒子としては特に限定されないが、アエロジェル粒子が好ましい。アエロジェル粒子は、透光性に優れ、熱伝導率も小さいことから、遮音性能等に加え、断熱性能を向上させることが可能となる。
【００２９】
本発明の遮音採光断熱材は、基材間にスペーサを有することが好ましい。該スペーサは、上記空気層の維持（基材間隔の維持）、空気層の周辺部の封止、空気層の分割等に用いられるものである。このようなスペーサを有することによって、制振効果を付与して、遮音性能を向上させることができる。  
【００３０】
上記スペーサとしては特に限定されないが、遮音採光断熱材の可視光線透過率を確保するために透明であることが好ましく、また、遮音採光断熱材の断熱性能を阻害しないために断熱性が高いものであることが好ましい。このようなスペーサとしては特に限定されないが、例えば、中空体（発泡体を含む）等が好適である。
上記スペーサは、弾性等の緩衝機能を有する材料からなるものであることが好ましい。弾性等の緩衝機能を有する材料としては特に限定されず、例えば、アクリル樹脂、シリコンゴム、エチレン酢酸ビニル共重合体、スチレン系エラストマー、ポリエステル樹脂、天然ゴム、クロロプレンゴム、イソプレンゴム等からなるものが挙げられる。
上記スペーサは、透光性を確保する観点からは無色透明であるのが好ましいが、意匠性を付与する場合には、顔料を配合することによって着色したものを用いることが好ましい。
【００３１】
上記スペーサは、自己接着性を有するものであることが好ましい。自己接着性を有することによって、本発明の遮音採光断熱材等を作製する工程等を簡便にすることができる。
上記自己接着性を有するスペーサとしては特に限定されず、従来公知の材料からなるものを使用することができ、例えば、保形性を有するよう温度、粘度等を調整したホットメルト接着剤等を使用することができる。
上記スペーサは、自己接着性を有しない場合、ホットメルト接着剤又は両面テープを介して、上記スペーサを上記基材に接着することができる。
【００３２】
上記スペーサの形状としては特に限定されず、例えば、粒子状、線状、格子状、波状等のものが挙げられる。なかでも、線状、格子状のスペーサは、制振効果を付与して遮音性を向上させる効果が大きいため好ましい。また、上記空気層の周辺部の封止、空気層の分割のためには、格子状のものが好適である。更に、上記スペーサの形状により、本発明の遮音採光断熱材に意匠性を付与してもよい。なお、本発明の遮音採光断熱材において、上記空気層が複数ある場合には、各々の空気層を構成するスペーサは同一の形状であってもよいし、異なった形状であってもよい。例えば、隣接する空気層を構成する線状スペーサが直交するように配置することによって、全体としてスペーサが格子状となっていてもよい。
【００３３】
上記スペーサが粒子状である場合、上記粒子状スペーサの単位面積当たりの個数としては特に限定されないが、１層当たりの好ましい下限は８０個／ｍ２である。１層当たり８０個／ｍ２未満であると、充分な制振効果が得られず、遮音性が不充分となったり、層間隔保持強度が不充分で遮音採光断熱材としての耐久性が悪化したりすることがある。好ましい上限は、粒子状のスペーサが連なると線状のスペーサと同様の構成となると考えられることから、後述する線状スペーサの場合と同様であると考えることができる。
【００３４】
上記スペーサが線状又は格子状である場合、上記線状又は格子状スペーサの線幅の好ましい下限は０．３ｍｍ、好ましい上限は５ｍｍである。０．３ｍｍ未満であると、充分な制振効果が得られず、遮音性が不充分となったり、層間隔保持強度が不充分で遮音採光断熱材としての耐久性が悪化したりすることがある。５ｍｍを超えると、部分的な透光性及び断熱性が低下することがある。
【００３５】
上記スペーサが線状又は格子状である場合、上記線状又は格子状スペーサの単位面積当たりの本数としては特に限定されないが、好ましい下限は５本／ｍ２、好ましい上限は１３０本／ｍ２である。５本／ｍ２未満であると、充分な制振効果が得られず、遮音性が不充分となったり、層間隔保持強度が不充分で遮音採光断熱材としての耐久性が悪化したりすることがある。１３０本／ｍ２を超えると、部分的な透光性及び断熱性が低下することがある。
【００３６】
本発明の遮音採光断熱材は、可視光線透過率の好ましい下限が２０％である。２０％未満であると、充分な採光を得ることができないことがある。より好ましい下限は３０％、更に好ましい下限は４０％である。
【００３７】
本発明の遮音採光断熱材を製造する方法としては特に限定されないが、例えば、図３又は図４に記載した態様の製造装置を用いる方法が挙げられる。
【００３８】
図３に記載した製造装置４は、ロール状に巻き取った基材のロールから基材を送り出す基材送り出し部４１、ロール状に巻き取ったロールからスペーサを送り出すスペーサ送り出し部４２、基材とスペーサとを積層する貼り合せ部４３とからなる。また、図３に記載した製造装置は、更に、スペーサ送り出し部４２から送り出したスペーサの両面にホットメルト接着剤を塗布する接着剤加工部４４を有する。
【００３９】
図３に記載した製造装置を用いて本発明の遮音採光断熱材を製造する方法では、まず、スペーサ送り出し部４２からスペーサを送り出す。送り出されたスペーサは、接着剤加工部４４において両面にホットメルト接着剤が塗布される。次いで、スペーサの送り出しに合わせて、基材を送り出し部４１から基材を送り出す。基材とスペーサとは、貼り合わせ部４３においてエアブロー等により積層され、加熱されて接着される。上記エアブローは、積層の直前まで基材やスペーサが合着するのを防ぐとともに、積層後には熱風により接着するのにも用いられる。
なお、基材とスペーサとは、積層する前に、５０〜１３０℃程度の予熱を行うことが好ましい。予熱により基材やスペーサの歪をとることができ、積層後に収縮等が発生するのを防止することができる。
【００４０】
図４は、本発明の遮音採光断熱材の製造装置の一例を示した模式図である。図４（ａ）は、本発明の遮音採光断熱材の製造装置の側面図を示した模式図である。図４（ｂ）は、本発明の遮音採光断熱材の製造装置の上面図を示した模式図である。
【００４１】
図４に示した製造装置を用いて本発明の遮音採光断熱材を製造する方法では、まず、基材送り出し部から無孔の基材５１を送り出して、基材５１の端部を固定装置により基材固定テーブル６１に固定した後、テンション負荷ロールにより幅方向に一定張力を掛けながら、無孔の基材５１を貼付プレスロールと基材固定テーブル６１との間に挟む。次いで、無孔の基材５１を貼付プレスロールにより基材固定テーブル６１に押しつけて、一定間隔で位置決め孔を穿設しながら、基材固定テーブル６１を一定速度で一方向に移動させる。基材固定テーブルの移動中に、調温したスペーサ樹脂組成物等を吐出口６２から基材５１上に吐出してスペーサ５２を形成する。基材固定テーブル６１が一定距離を移動したところで、基材５１をカッターによって切断し、基材固定テーブル６１を降下させた後、移動手段が基材固定テーブル６１をその開始位置に戻す。このスペーサ５２付き基材５１形成工程を複数回繰り返すことによって、遮音採光断熱材５を製造することができる。ただし、最外層の基材を固定する際には、スペーサ５２の形成は行わないようにする。
【００４２】
本発明の遮音採光断熱材は、また、基材上に、発泡剤を含有する硬化性樹脂組成物（例えば、エポキシ系等熱硬化型硬化性樹脂組成物やウレタン系等反応型硬化性樹脂組成物等）や熱可塑性樹脂組成物を塗工した後、発泡剤を発泡させる方法によっても製造することができる。このような製造方法を用いた場合には、塗工後の発泡物が、上記スペーサとしての役割を果たす。
【００４３】
本発明の遮音採光断熱材は、ガラス板若しくは硬質樹脂板に貼付、又は、２枚のガラス板若しくは硬質樹脂板で挟持することにより高い遮音性能を発揮することができる。
ガラス板又は硬質樹脂板と、前記ガラス板又は硬質樹脂板に貼付された本発明の遮音採光断熱材とからなる遮音採光断熱板もまた、本発明の一つである。
本発明の遮音採光断熱材と、前記遮音採光断熱材を挟持する２枚のガラス板又は硬質樹脂板とからなる遮音採光断熱板もまた、本発明の一つである。
なお、本発明の遮音採光断熱材は、後述するガラス板又は硬質樹脂板によって挟持した場合と、上記スペーサや他の接着剤等を用いて後述するガラス板又は硬質樹脂板に固定した場合とで、得られる遮音性能等は異なることがある。
【００４４】
上記ガラス板を構成するガラスとしては特に限定されず、例えば、フロートガラス、型板硝子、網入りガラス、合わせガラス、強化ガラス、熱線反射ガラス、熱線吸収ガラス等が挙げられる。
上記硬質樹脂板を構成する樹脂としては特に限定されず、例えば、ポリカーボネート、アクリル樹脂等が挙げられる。
【００４５】
ガラス板又は硬質樹脂板と、前記ガラス板又は硬質樹脂板に貼付された本発明の遮音採光断熱材とからなる本発明の遮音採光断熱板を製造する方法としては特に限定されず、例えば、本発明の遮音採光断熱材と、ガラス板若しくは硬質樹脂板とを従来公知の方法によって固定する方法等が挙げられる。
本発明の遮音採光断熱材と、ガラス板若しくは硬質樹脂板とを固定する方法としては特に限定されず、例えば、接着固定する方法、接着固定せず枠固定する方法等が挙げられる。
【００４６】
上記接着固定する方法としては特に限定されず、例えば、他の接着剤等や上記スペーサを用いて固定する方法が挙げられる。具体的には例えば、本発明の遮音採光断熱材又はガラス板若しくは硬質樹脂板に対し、従来公知の接着剤等を面状に塗布した後、本発明の遮音採光断熱材とガラス板若しくは硬質樹脂板とを貼付する方法；本発明の遮音採光断熱材又はガラス板若しくは硬質樹脂板の四辺端部のみに、一定幅に従来公知の接着剤等を塗布した後、又は、本発明の遮音採光断熱材又はガラス板若しくは硬質樹脂板の四辺端部のみに両面テープ等を貼付した後、本発明の遮音採光断熱材とガラス板若しくは硬質樹脂板とを貼付する方法；本発明の遮音採光断熱材において形成されたスペーサと同様の間隔で、上記スペーサと同様の材料をガラス板若しくは硬質樹脂板に点状、線状、格子状に固定した後、本発明の遮音採光断熱材とガラス板若しくは硬質樹脂板とを貼付する方法等が挙げられる。
上記スペーサを介して接着固定する方法を用いる場合には、上記スペーサが自己接着性を有するものであることが好ましい。このようなスペーサを用いることによって、作業性を向上させることができる。
【００４７】
上記接着固定せず枠固定する方法としては特に限定されず、例えば、従来公知の内装用枠材等の固定枠を用いて、本発明の遮音採光断熱材とガラス板若しくは硬質樹脂板とを挟み込むことによって固定する方法等が挙げられる。
【００４８】
本発明の遮音採光断熱材と、前記遮音採光断熱材を挟持する２枚のガラス板又は硬質樹脂板とからなる本発明の遮音採光断熱板を製造する方法としては特に限定されず、例えば、上述の本発明の遮音採光断熱材と、ガラス板若しくは硬質樹脂板とを固定する方法と同様の方法を用いることができる。すなわち、上記接着固定する方法、上記接着固定せず枠固定する方法等を用いることができる。
２枚のガラス板若しくは硬質樹脂板を用いて、本発明の遮音採光断熱材を挟持する場合、各ガラス板若しくは硬質樹脂板と、本発明の遮音採光断熱材とを、それぞれ同様の方法により固定してもよく、それぞれ異なる方法により固定してもよい。
【００４９】
本発明の遮音採光断熱板の用途としては特に限定されず、本発明の遮音採光断熱材を、ガラス板に貼付、又は、２枚のガラス板で挟持する場合には、例えば、建築物の窓ガラス等の開口部等に好適に用いることが可能である。本発明の遮音採光断熱材を、硬質樹脂板に貼付、又は、２枚の硬質樹脂板で挟持する場合には、例えば、建築物内の間仕切り材等に好適に用いることが可能である。なかでも、間仕切り材として使用する場合には、重量規制があるところ、本発明の遮音採光断熱材は非常に軽量であることから、好適に用いることができる。このように使用することによって、本発明の遮音採光断熱板は、高い遮音性能と断熱性能とを発揮することができる。
【発明の効果】
【００５０】
本発明によれば、遮音性、断熱性に優れ、透明性が高くかつ軽量である遮音採光断熱材を提供することができる。
【発明を実施するための最良の形態】
【００５１】
以下に実施例を挙げて本発明の態様を更に詳しく説明するが、本発明はこれら実施例にのみ限定されるものではない。
【００５２】
（実施例１）
ポリエステル系ホットメルト接着剤用樹脂をスペーサとして用いた。このスペーサを１６５℃に調温し、断面形状の直径２ｍｍ、長さ５５０ｍｍの計７本の線状スペーサとして、大きさ５５０ｍｍ×５５０ｍｍ、厚み１２５μｍのポリエチレンテレフタレートフィルム（以下、ＰＥＴフィルムともいう）上の端部、端部から７５ｍｍの位置、端部から１７５ｍｍの位置、端部から２７５ｍｍの位置、端部から３７５ｍｍの位置、端部から４７５ｍｍの位置、更に他方の端部に塗布し、図４に示す製造装置を用いて、このスペーサが挟持されるようにして、大きさ５５０ｍｍ×５５０ｍｍ、厚み１２５μｍの６枚のＰＥＴフィルムを積層し、遮音採光断熱材を作製した。得られた遮音採光断熱材の総厚さは約１０．７５ｍｍであった。
更に、２枚のフロートガラス（５５０ｍｍ×５５０ｍｍ、厚み３ｍｍ）を用い、得られた遮音採光断熱材を挟持するようにして挟み込み、フロートガラスと得られた遮音採光断熱材とを積層して得られた積層体の周囲をブチルゴムテープ（厚み１ｍｍ、両面スーパーブチルテープｎｏ．５９３１、スリオンテック社製）によって封入固定し、サンプルを作製した。フロートガラスと得られた遮音採光断熱材とは、周囲のブチルゴムテープ以外は、接着固定していない状態である。
得られたサンプルの構成を表１に示す。
図５は得られたサンプルの正面図、図６は図５のＡ−Ａ断面図である。図５及び図６において、７はフロートガラスである。
【００５３】
（実施例２）
２枚のフロートガラス（５５０ｍｍ×５５０ｍｍ、厚み３ｍｍ）を用いた代わりに、２枚のポリカーボネート板（５５０ｍｍ×５５０ｍｍ、厚み３ｍｍ）を用いた以外は、実施例１と同様の方法により、サンプルを作製した。
得られたサンプルの構成を表１に示す。
【００５４】
（比較例１）
ブチルゴムテープ（厚み１ｍｍ、両面スーパーブチルテープｎｏ．５９３１、スリオンテック社製）をスペーサ及び積層体の端部の封入材として用いた。１枚のフロートガラス（５５０ｍｍ×５５０ｍｍ、厚み３ｍｍ）の四辺端部に設置した１０ｍｍのスペーサを挟持するようにして、もう１枚のフロートガラスを設置し、更に周囲をブチルゴムテープでシールしてサンプルを作製した。
得られたサンプルの構成を表２に示す。
【００５５】
（比較例２）
２枚のフロートガラス（５５０ｍｍ×５５０ｍｍ、厚み３ｍｍ）を用いた代わりに、２枚のポリカーボネート板（５５０ｍｍ×５５０ｍｍ、厚み３ｍｍ）を用いた以外は、比較例１と同様の方法により、サンプルを作製した。
得られたサンプルの構成を表２に示す。
【００５６】
【表１】
2008223261.tif 000002
【００５７】
【表２】
2008223261.tif 000003
【００５８】
（評価）
実施例１、２及び比較例１、２で得られたサンプルについて、以下の評価（１）〜（３）を行った。評価（１）の結果は図７及び８に示した。評価（２）及び（３）の結果は、表３に示した。
【００５９】
（１）音響透過損失の測定
ＪＩＳ  Ａ  １４１６に準拠した方法により作製した５０ｍ３の残響室にて、５００〜５０００Ｈｚの周波数領域で、音響透過損失（ｄＢ）を測定した。開口部面積は５５０×５５０ｍｍであった。
結果を図７及び８に示した。
【００６０】
（２）熱貫流率の測定
発泡ポリスチレンからなり、幅３００×高さ１２００ｍｍの開口部を有する簡易断熱箱を作製し、開口部と対峙した箱内部の面に、面状ヒーターを設置した。開口部に開口面積と同じサイズを有する得られたサンプルをセットし、簡易断熱箱を２０℃に設定した恒温室に設置した。箱内温度を箱外温度よりも２０℃高くなるように、面状ヒーターの加熱を行い、採光断熱材表面に５０×５０ｍｍサイズの熱流板（英弘精機社製）を設置し、通過した熱量を、定常状態で測定した。箱内の空気温度と箱外の空気温度との差、及び、通過した熱量から、熱貫流率（Ｗ／ｍ２・Ｋ）を算出し、以下の基準で評価を行った。
なお、上述の簡易断熱箱における開口部は、垂直方向にサンプルを設置して試験を実施するため、前面部に設置した。
○：２．５（Ｗ／ｍ２・Ｋ）未満
△：２．５（Ｗ／ｍ２・Ｋ）以上、３．０（Ｗ／ｍ２・Ｋ）未満
×：３．０（Ｗ／ｍ２・Ｋ）以上
【００６１】
（３）可視光線透過率の測定
分光光度計（Ｕ−４１００型、日立ハイテクノロジーズ社製）を用いて、ＪＩＳ  Ｒ  ３１０６に準拠した方法により、可視光線透過率（％）を測定し、以下の基準で評価を行った。
○：２０％以上
×：２０％未満
【００６２】
【表３】
2008223261.tif 000004
【産業上の利用可能性】
【００６３】
本発明によれば、遮音性、断熱性に優れ、透明性が高くかつ軽量である遮音採光断熱材を提供することができる。
【図面の簡単な説明】
【００６４】
【図１】本発明の遮音採光断熱材の断面を示す模式図である。
【図２】各基材が異なる場合における、本発明の遮音採光断熱材の断面を示す模式図である。
【図３】本発明の遮音採光断熱材を製造する製造装置を示す模式図である。
【図４】本発明の遮音採光断熱材を製造する製造装置を示す模式図である。
【図５】実施例１で製造した遮音採光断熱板の正面を示す模式図である。
【図６】図５のＡ−Ａ断面を示す模式図である。
【図７】音響透過損失の測定結果を示すグラフである。
【図８】音響透過損失の測定結果を示すグラフである。
【符号の説明】
【００６５】
１ａ  基材
１ａ’  ポリカーボネートフィルム
１ｂ  基材
１ｂ’  ポリエチレンテレフタレートフィルム
１ｃ  基材
１ｃ’  ポリエチレンテレフタレートフィルム
１ｄ’  ポリカーボネートフィルム
２  空気層
３  スペーサ
４  製造装置
４１  基材送り出し部
４２  スペーサ送り出し部
４３  貼り合せ部
４４  接着剤加工部
５  遮音採光断熱材
６  製造装置
５１  基材
５２  スペーサ
５３  帯状部
６１  基材固定テーブル
６１ａ  位置決めピン
６１ｂ  固定手段
６２  吐出口
６３  幅広吐出口
７  フロートガラス
【図１】
2008223261.tif 000005
【図２】
2008223261.tif 000006
【図３】
2008223261.tif 000007
【図４】
2008223261.tif 000008
【図５】
2008223261.tif 000009
【図６】
2008223261.tif 000010
【図７】
2008223261.tif 000011
【図８】
2008223261.tif 000012